(57)【要約】  室内機と、室内機の吸込み口の外側に配置され、室内機が調和空気を吹き出す居室空間からの還気から異物を取り除くフィルタと、吸込み口に外気を供給する外気取込み口と、吸込み口の内側に配置され、調和前の吸込み空気の温度を測定する第１温度センサと、居室空間に配置された第２温度センサと、第１温度センサの測定温度と第２温度センサの測定温度との差分が閾値以上であるとフィルタの目詰まりが発生したと判定する目詰まり判別部を有した制御部と、を備える。
2019138534.tif 000002
【特許請求の範囲】
【請求項１】
室内機と、
前記室内機の吸込み口の外側に配置され、前記室内機が調和空気を吹き出す居室空間からの還気から異物を取り除くフィルタと、
前記吸込み口に外気を供給する外気取込み口と、
前記吸込み口の内側に配置され、調和前の吸込み空気の温度を測定する第１温度センサと、
前記居室空間に配置された第２温度センサと、
前記第１温度センサの測定温度と前記第２温度センサの測定温度との差分が閾値以上であると前記フィルタの目詰まりが発生したと判定する目詰まり判別部を有した制御部と、
を備える空気調和装置。
【請求項２】
前記室内機は、前記居室空間と仕切られた天井懐に配置され、
前記フィルタは、前記居室空間と前記天井懐との仕切り部分に空気を疎通自在に配置され、
前記外気取込み口は、外部から通じるダクトを介して前記天井懐に設けられる請求項１に記載の空気調和装置。
【請求項３】
設定温度を調節するリモコンを備え、
前記第２温度センサは、前記リモコンに設けられる請求項１又は２に記載の空気調和装置。
【請求項４】
前記制御部は、通常時に設定された設定温度を前記第１温度センサの測定温度と比較して空調を実施する通常運転部を有する請求項１〜３のいずれか１項に記載の空気調和装置。
【請求項５】
前記制御部は、前記第１温度センサの測定温度が設定温度に達した際に送風運転に切り替わるサーモオフ運転を検知するサーモオフ運転検知部を有し、
前記目詰まり判別部は、前記サーモオフ運転検知部が前記サーモオフ運転開始を検知した直後に前記差分が前記閾値以上であると前記フィルタの目詰まりが発生したと判定する請求項４に記載の空気調和装置。
【請求項６】
前記制御部は、前記目詰まり判別部が前記フィルタの目詰まりが発生したと判定したときに、警報を発令させる警報発令部を有する請求項１〜５のいずれか１項に記載の空気調和装置。
【請求項７】
前記制御部は、前記目詰まり判別部が前記フィルタの目詰まりが発生したと判定したときに、設定された設定温度を前記第２温度センサの測定温度と比較して空調を実施する目詰まり運転部を有する請求項１〜６のいずれか１項に記載の空気調和装置。
【発明の詳細な説明】
【技術分野】
【０００１】
本発明は、室内機が調和空気を吹き出す居室空間からの還気から異物を取り除くフィルタを備えた空気調和装置に関する。
【背景技術】
【０００２】
従来、空気調和装置が設置された空間に配置されたフィルタにおける汚れなどの目詰まりの検知方法は、目視によるもの、あるいは、空気調和装置の室内機の吸込み温度センサの測定温度及びモーター回転数から算出するものが知られている（たとえば、特許文献１参照）。
【先行技術文献】
【特許文献】
【０００３】
【特許文献１】特許第３９７２７２３号公報
【発明の概要】
【発明が解決しようとする課題】
【０００４】
ビジネスホテルなどに用いられる空気調和装置では、天井埋込型の室内機を適用することが一般的である。天井埋込型の室内機は、吸込み口を下がり天井内である天井懐内に設置されることが多い。天井埋込型の室内機は、吸込み方式に天井チャンバー式を用い、外部から通じるダクトを介して天井懐内部に開口した外気取込み口から外気を取り込んで換気する。【０００５】
従来の空気調和装置の場合には、フィルタの目詰まりを目視によって判断することが多い。ここで、ビジネスホテルなどに設置された空気調和装置では、フィルタが目詰まりすると、外気取込み口あるいは天井懐に通じる隙間から流入する外気が増える。それにより、天井埋込型の室内機に内蔵された吸込み温度センサは、空調空間である居室空間の温度を正確に測定できない。または、吸込み温度センサは、居室空間の温度に対する測定温度の追従性が著しく悪化する。このため、空気調和装置では、居室空間の室内温度の制御が不安定になる。これに対し、フィルタが目詰まりしないように、作業者がこまめに掃除したり、作業者による目視点検の頻度を多くしたりする必要があった。【０００６】
本発明は、上記課題を解決するためのものであり、フィルタの目詰まりを機械的に容易に判別し、作業者が適切なタイミングでフィルタを掃除できる空気調和装置を提供することを目的とする。
【課題を解決するための手段】
【０００７】
本発明に係る空気調和装置は、室内機と、前記室内機の吸込み口の外側に配置され、前記室内機が調和空気を吹き出す居室空間からの還気から異物を取り除くフィルタと、前記吸込み口に外気を供給する外気取込み口と、前記吸込み口の内側に配置され、調和前の吸込み空気の温度を測定する第１温度センサと、前記居室空間に配置された第２温度センサと、前記第１温度センサの測定温度と前記第２温度センサの測定温度との差分が閾値以上であると前記フィルタの目詰まりが発生したと判定する目詰まり判別部を有した制御部と、を備えるものである。
【発明の効果】
【０００８】
本発明に係る空気調和装置によれば、第１温度センサの測定温度と第２温度センサの測定温度との差分が閾値以上であるとフィルタの目詰まりが発生したと判定する目詰まり判別部を有した制御部を備える。したがって、フィルタの目詰まりを機械的に容易に判別し、作業者が適切なタイミングでフィルタを掃除できる。
【図面の簡単な説明】
【０００９】
【図１】本発明の実施の形態１に係る空気調和装置を示す冷媒回路図である。
【図２】本発明の実施の形態１に係る室内機の設置環境を示す概略図である。
【図３】本発明の実施の形態１に係る空気調和装置のフィルタの目詰まり検知制御に必要な機能を示す機能ブロック図である。
【図４】本発明の実施の形態１に係る空気調和装置のフィルタの目詰まり検知制御を示すフローチャートである。
【発明を実施するための形態】
【００１０】
以下、図面に基づいて本発明の実施の形態について説明する。なお、各図において、同一の符号を付したものは、同一の又はこれに相当するものであり、これは明細書の全文において共通している。また、断面図の図面においては、視認性に鑑みて適宜ハッチングを省略している。さらに、明細書全文に示す構成要素の形態は、あくまで例示であってこれらの記載に限定されるものではない。
【００１１】
実施の形態１．
＜空気調和装置１００の構成＞
図１は、本発明の実施の形態１に係る空気調和装置１００を示す冷媒回路図である。図１に示す空気調和装置１００は、室外機１０１と室内機１０２とをガス冷媒配管１０３及び液冷媒配管１０４によって接続されている。
【００１２】
室外機１０１は、圧縮機１０５、四方弁１０６、室外熱交換器１０７及び膨張弁１０８を有する。
【００１３】
圧縮機１０５は、吸入した冷媒を圧縮して吐出する。圧縮機１０５は、たとえばインバータ回路などにより、運転周波数を任意に変化させ、圧縮機１０５の単位時間あたりの冷媒を送り出す容量を変化させてもよい。
【００１４】
四方弁１０６は、たとえば冷房運転時と暖房運転時とによって冷媒の流れを切り換える弁である。
【００１５】
室外熱交換器１０７は、冷媒と室外の空気との熱交換を行う。室外熱交換器１０７は、冷房運転時に凝縮器として機能し、冷媒を凝縮して液化させる。室外熱交換器１０７は、暖房運転時に蒸発器として機能し、冷媒を蒸発させ、気化させる。
【００１６】
膨張弁１０８は、流量制御弁であり、冷媒を減圧して膨張させる。膨張弁１０８は、たとえば電子式膨張弁などで構成された場合には、図示しない制御装置などの指示に基づいて開度調整を行える。
【００１７】
室内機１０２は、室内熱交換器１０９を有する。室内熱交換器１０９は、たとえば空調対象の空気と冷媒との熱交換を行う。室内熱交換器１０９は、冷房運転時に蒸発器として機能し、冷媒を蒸発させ、気化させる。室内熱交換器１０９は、暖房運転時に凝縮器として機能し、冷媒を凝縮して液化させる。
【００１８】
以上のように空気調和装置１００を構成することにより、室外機１０１の四方弁１０６によって冷媒の流れを切り換え、冷房運転又は暖房運転が実現できる。
【００１９】
＜室内機１０２の設置環境＞
図２は、本発明の実施の形態１に係る室内機１０２の設置環境を示す概略図である。図２に示すように、室内機１０２は、室内機１０２が調和空気を吹き出す居室空間１１０と仕切られた下がり天井内である天井懐１１１に配置されている。
【００２０】
室内機１０２は、吸込み口１０２ａの内側に配置され、調和前の吸込み空気の温度を測定する第１温度センサ１１２を有する。第１温度センサ１１２は、室内機１０２内の室内熱交換器１０９及び送風ファン１１３よりも空気流れ方向上流側に配置されている。
【００２１】
居室空間１１０と天井懐１１１との仕切り部分には、空気を疎通自在なフィルタ１１４が配置されている。フィルタ１１４は、通気口１１５に取り外し自在に取り付けられている。フィルタ１１４は、室内機１０２の吸込み口１０２ａの外側に配置され、室内機１０２が調和空気を吹き出す居室空間１１０からの還気から異物を取り除く。フィルタ１１４は、異物を収集して目詰まりを引き起こすエアフィルタである。
【００２２】
外部から通じるダクト１１６を介して天井懐１１１には、外気取込み口１１７が設けられている。外気取込み口１１７は、室内機１０２の吸込み口１０２ａに外気を供給する。
【００２３】
居室空間１１０には、室内機１０２と通信線１１８を介して接続されたリモコン１１９が配置されている。リモコン１１９は、設定温度を調節する。なお、設定温度は、リモコン１１９以外から設定されてもよい。リモコン１１９には、第２温度センサ１２０が設けられている。なお、第２温度センサ１２０は、居室空間１１０に配置されるとともに室内機１０２と通信線を介して接続されれば、リモコン１１９と別体でもよい。
【００２４】
室内機１０２には、後述する実施の形態１の特徴であるフィルタ１１４の目詰まり検知制御を行う制御部１２１が設けられている。詳細は後述するが、制御部１２１は、目詰まり判別部１２６を有する。目詰まり判別部１２６は、第１温度センサ１１２の測定温度Ｔ１と第２温度センサ１２０の測定温度Ｔ２との差分が閾値α以上であるとフィルタ１１４の目詰まりが発生したと判定する。制御部１２１は、ＣＰＵ、ＲＯＭ、ＲＡＭ及びＩ／Ｏポートなどを備えたマイコンを有した処理回路である。
【００２５】
＜制御部１２１の機能構成＞
図３は、本発明の実施の形態１に係る空気調和装置１００のフィルタ１１４の目詰まり検知制御に必要な機能を示す機能ブロック図である。なお、ここでは、空気調和装置１００の機能のうち、後述する実施の形態１の特徴であるフィルタ１１４の目詰まり検知制御を行うために必要な機能だけを説明する。空気調和装置１００は、その他の機能として、冷房運転又は暖房運転の空調を実施するための圧縮機１０５、四方弁１０６及び膨張弁１０８などを制御できる。
【００２６】
空気調和装置１００は、室内機１０２に、第１温度センサ１１２と、制御部１２１と、を有する。第１温度センサ１１２は、室内機１０２の吸込み空気温度を測定する。
【００２７】
空気調和装置１００は、リモコン１１９に、第２温度センサ１２０と、表示部１２２と、操作部１２３と、を有する。第２温度センサ１２０は、居室空間１１０の室温を測定する。表示部１２２は、警報を表示したり、操作結果を表示したりする。操作部１２３は、使用者が設定温度を設定するために操作される。
【００２８】
室内機１０２の制御部１２１は、温度差分演算部１２４と、サーモオフ運転検知部１２５と、目詰まり判別部１２６と、警報発令部１２７と、目詰まり運転部１２８と、通常運転部１２９と、を含む。
【００２９】
温度差分演算部１２４は、第１温度センサ１１２の測定温度Ｔ１と第２温度センサ１２０の測定温度Ｔ２との差分を演算して絶対値の差分値である△Ｔ＝｜Ｔ１−Ｔ２｜を算出する。
【００３０】
サーモオフ運転検知部１２５は、空気調和装置１００の運転が第１温度センサ１１２の測定温度Ｔ１が設定温度に達した際に送風運転に切り替わるサーモオフ運転が実施されることを検知する。設定温度は、リモコン１１９に設けられた操作部１２３を操作して設定される。サーモオフ運転自体は、室外機１０１などの図示しない制御装置などで実施が制御されてよい。
【００３１】
目詰まり判別部１２６は、サーモオフ運転検知部１２５がサーモオフ運転開始を検知した直後に、第１温度センサ１１２の測定温度Ｔ１と第２温度センサ１２０の測定温度Ｔ２との差分△Ｔが閾値α以上であるとフィルタ１１４の目詰まりが発生したと判定する。
【００３２】
警報発令部１２７は、目詰まり判別部１２６がフィルタ１１４の目詰まりが発生したと判定したときに、警報を発令させる。警報発令部１２７は、リモコン１１９の表示部１２２にフィルタ１１４の目詰まりの警報を表示してもよい。また、警報発令部１２７は、通信網を介して管理者にフィルタ１１４の目詰まりの警報を通報してもよい。
【００３３】
目詰まり運転部１２８は、目詰まり判別部１２６がフィルタ１１４の目詰まりが発生したと判定したときに、リモコン１１９によって設定された設定温度を第２温度センサ１２０の測定温度Ｔ２と比較して空調を実施する。つまり、目詰まり運転部１２８は、フィルタ１１４の目詰まりが発生したときに、実際の空調対象の居室空間１１０に配置されたリモコン１１９に設けられた第２温度センサ１２０の測定温度Ｔ２によって空調を実施する。
【００３４】
通常運転部１２９は、通常時にリモコン１１９によって設定された設定温度を第１温度センサ１１２の測定温度Ｔ１と比較して空調を実施する。つまり、通常運転部１２９は、フィルタ１１４の目詰まりが無いときに、空調制御の効率を図るため、室内機１０２の吸込み空気温度を測定する第１温度センサ１１２の測定温度Ｔ１によって空調を実施する。
【００３５】
＜フィルタ１１４の目詰まり検知制御＞
図４は、本発明の実施の形態１に係る空気調和装置１００のフィルタ１１４の目詰まり検知制御を示すフローチャートである。フィルタ１１４の目詰まり検知制御ルーチンは、所定周期ごとに繰り返し実施されている。
【００３６】
図４に示す制御が実施される前提として、空気調和装置１００は、冷房運転又は暖房運転の空調を実施する。このとき、室内機１０２は、フィルタ１１４の配置された通気口１１５から居室空間１１０の空気を吸い込む。また、室内機１０２は、ダクト１１６を通して外気取込み口１１７から外気を吸い込む。そして、室内機１０２は、室内熱交換器１０９によって冷媒と熱交換した調和空気を吹出し口１３０から居室空間１１０に吹き出す。
【００３７】
居室空間１１０の設定温度は、リモコン１１９の操作部１２３を操作して設定される。制御部１２１では、通常時に、通常運転部１２９がフィルタ１１４の目詰まりが無いときに、空調制御の効率を図るため、室内機１０２の吸込み空気温度を測定する第１温度センサ１１２の測定温度Ｔ１によって空調を実施する。
【００３８】
ステップＳ１０１にて、制御部１２１は、第１温度センサ１１２の測定温度Ｔ１を受信する。本処理の後、ステップＳ１０２に移行する。
【００３９】
ステップＳ１０２にて、制御部１２１は、第２温度センサ１２０の測定温度Ｔ２を受信する。本処理の後、ステップＳ１０３に移行する。
【００４０】
ステップＳ１０３にて、制御部１２１の温度差分演算部１２４は、第１温度センサ１１２の測定温度Ｔ１と第２温度センサ１２０の測定温度Ｔ２との差分を演算して絶対値の差分値△Ｔ＝｜Ｔ１−Ｔ２｜を算出する。本処理の後、ステップＳ１０４に移行する。
【００４１】
ステップＳ１０４にて、制御部１２１のサーモオフ運転検知部１２５は、空気調和装置１００の運転が第１温度センサ１１２の測定温度Ｔ１が設定温度に達した際に送風運転に切り替わるサーモオフ運転が開始されたか否かを検知する。ステップＳ１０４にて、サーモオフ運転が開始されたことが検知された場合には、ステップＳ１０５に移行する。ステップＳ１０４にて、サーモオフ運転が開始されたことが検知されない場合には、ステップＳ１１０に移行する。
【００４２】
ここで、天井懐１１１と居室空間１１０とが通気口１１５を介して繋がっている。このため、△Ｔは、空調運転時間が経過していくと小さくなり、測定温度Ｔ１が設定温度に達したときに最小となる。この測定温度Ｔ１が設定温度に達した際に送風運転に切り替わる運転がサーモオフ運転である。
【００４３】
ステップＳ１０５にて、制御部１２１の目詰まり判別部１２６は、サーモオフ運転開始直後に、第１温度センサ１１２の測定温度Ｔ１と第２温度センサ１２０の測定温度Ｔ２との差分値△Ｔが閾値α以上であるか否かを判別する。ステップＳ１０５にて、△Ｔ≧閾値αである場合には、ステップＳ１０６に移行する。ステップＳ１０５にて、△Ｔ＜閾値αである場合には、ステップＳ１１０に移行する。
【００４４】
サーモオフ運転開始直後に、△Ｔ＜閾値αであれば、測定温度Ｔ１と測定温度Ｔ２とに乖離が無く、言い換えれば居室空間１１０の室内温度と天井懐１１１の室内機１０２の吸込み空気温度とに乖離が無く、フィルタ１１４の目詰まりが無いと判定している。
【００４５】
一方、通気口１１５に取り付けられたフィルタ１１４が目詰まりしている場合には、室内機１０２では、圧力損失差から外気取込み口１１７からの外気取入れ量が増加する。加えて、室内機１０２では、通気口１１５からの居室空間１１０の還気空気の取入れ量が減少する。そのため、天井懐１１１内の温度が外気温度に近くなり、冷暖の空調運転によらず、△Ｔが徐々に増加する。言い換えれば、天井懐１１１の温度が居室空間１１０の室温よりも外気温に近づく。このため、△Ｔ≧閾値αの判定によって、フィルタ１１４が目詰まりしていることが判別できる。
【００４６】
ステップＳ１０６にて、制御部１２１の目詰まり判別部１２６は、フィルタ１１４が目詰まりしていると判定する。本処理の後、ステップＳ１０７に移行する。
【００４７】
ステップＳ１０７にて、制御部１２１の警報発令部１２７は、目詰まり判別部１２６がフィルタ１１４の目詰まりが発生したと判定したときに、警報を発令させる。警報発令部１２７は、リモコン１１９の表示部１２２にフィルタ１１４の目詰まりの警報を表示してもよい。また、警報発令部１２７は、通信網を介して管理者にフィルタ１１４の目詰まりの警報を通報してもよい。警報発令部１２７は、たとえば、リモコン１１９にフィルタ清掃サインを表示する。本処理の後、ステップＳ１０８に移行する。
【００４８】
ステップＳ１０８にて、制御部１２１の目詰まり運転部１２８は、目詰まり判別部１２６がフィルタ１１４の目詰まりが発生したと判定したときに、リモコン１１９によって設定された設定温度を第２温度センサ１２０の測定温度Ｔ２と比較して空調を実施する。つまり、目詰まり運転部１２８は、フィルタ１１４の目詰まりが発生したときに、実際の空調対象の居室空間１１０に配置されたリモコン１１９に設けられた第２温度センサ１２０の測定温度Ｔ２によって空調を実施する。これにより、居室空間１１０の室温が設定温度から大きく外れることを防止する。そして、過冷房又は過暖房が抑制される。本処理の後、ステップＳ１０９に移行する。
【００４９】
ここで、第２温度センサ１２０の測定温度Ｔ２が検知室温として用いられている場合には、送風運転であるサーモオフ運転状態から冷暖の空調制御を伴うサーモオン運転が継続されても、△Ｔが増加を続ける。このため、制御部１２１は、サーモオン運転開始を検知し、かつ、△Ｔ≧閾値αである場合にも、フィルタ１１４の目詰まりと判定してもよい。
【００５０】
ステップＳ１０９にて、制御部１２１は、サーモオフ運転及びサーモオン運転での空調を実施し、フィルタ１１４の目詰まりが解消されたか否かを判別する。具体的には、空調を実施しつつ、△Ｔ＜閾値αとなったか否かを判別する。ステップＳ１０９にて、フィルタ１１４の目詰まりが解消された場合には、ステップＳ１１０に移行する。ステップＳ１０９にて、フィルタ１１４の目詰まりが解消されない場合には、ステップＳ１０７に戻る。
【００５１】
ステップＳ１１０にて、制御部１２１の通常運転部１２９は、通常時にリモコン１１９によって設定された設定温度を第１温度センサ１１２の測定温度Ｔ１と比較して空調を実施する。つまり、通常運転部１２９は、フィルタ１１４の目詰まりが無いときに、空調制御の効率を図るため、室内機１０２の吸込み空気温度を測定する第１温度センサ１１２の測定温度Ｔ１によって空調を実施する。
【００５２】
以上のように、室内機１０２の第１温度センサ１１２とリモコン１１９に内蔵された第２温度センサ１２０とがフィルタ１１４の取り付けられた通気口１１５を介して天井懐１１１と居室空間１１０とに分けて設置される。そのため、フィルタ１１４の目詰まり時にダクト１１６から外気取込み口１１７に取り込む外気の導入量が増加し、天井懐１１１と居室空間１１０との間で温度差が発生する。この現象に鑑みて、フィルタ１１４の目詰まりが検知できる。
【００５３】
よって、室内機１０２から独立したフィルタ１１４の目詰まり状態が検知でき、作業者が適切なタイミングで清掃でき、フィルタ１１４が清浄に保全できる。また、フィルタ１１４の目詰まりによる空調能力の低下が防げる。
【００５４】
＜実施の形態１の効果＞
実施の形態１によれば、空気調和装置１００は、室内機１０２を備える。空気調和装置１００は、室内機１０２の吸込み口１０２ａの外側に配置され、室内機１０２が調和空気を吹き出す居室空間１１０からの還気から異物を取り除くフィルタ１１４を備える。空気調和装置１００は、吸込み口１０２ａに外気を供給する外気取込み口１１７を備える。空気調和装置１００は、吸込み口１０２ａの内側に配置され、調和前の吸込み空気の温度を測定する第１温度センサ１１２を備える。空気調和装置１００は、設定温度を調節するリモコン１１９を備える。空気調和装置１００は、居室空間１１０に配置された第２温度センサ１２０を備える。空気調和装置１００は、第１温度センサ１１２の測定温度Ｔ１と第２温度センサ１２０の測定温度Ｔ２との差分△Ｔが閾値α以上であるとフィルタ１１４の目詰まりが発生したと判定する目詰まり判別部１２６を有した制御部１２１を備える。
【００５５】
この構成によれば、第１温度センサ１１２の測定温度Ｔ１と第２温度センサ１２０の測定温度Ｔ２との差分△Ｔが閾値α以上であるとフィルタ１１４の目詰まりが発生したと判定する目詰まり判別部１２６を有した制御部１２１を備える。これにより、室内機１０２から離れて室内機１０２から独立した場所に設置されたフィルタ１１４の目詰まりを間接的に判別できる。したがって、フィルタ１１４の目詰まりを機械的に容易に判別し、作業者が適切なタイミングでフィルタ１１４を掃除できる。
【００５６】
実施の形態１によれば、室内機１０２は、居室空間１１０と仕切られた天井懐１１１に配置されている。フィルタ１１４は、居室空間１１０と天井懐１１１との仕切り部分に空気を疎通自在に配置されている。外気取込み口１１７は、外部から通じるダクト１１６を介して天井懐１１１に設けられている。
【００５７】
この構成によれば、目詰まり判別部１２６は、天井懐１１１に配置された室内機１０２の吸込み口１０２ａの内側に配置された第１温度センサ１１２の測定温度Ｔ１と、天井懐１１１と仕切られた居室空間１１０に配置された第２温度センサ１２０の測定温度Ｔ２と、の差分△Ｔが閾値α以上であると、フィルタ１１４の目詰まりが発生したと判定できる。したがって、フィルタ１１４の目詰まりを機械的に容易に判別し、作業者が適切なタイミングでフィルタ１１４を掃除できる。
【００５８】
実施の形態１によれば、空気調和装置１００は、設定温度を調節するリモコン１１９を備える。第２温度センサ１２０は、リモコン１１９に設けられている。
【００５９】
この構成によれば、第２温度センサ１２０は、リモコン１１９に一体化され、リモコン１１９を居室空間１１０に配置すれば個別に配置する必要がなくなる。これにより、空気調和装置１００の設置作業が容易になる。
【００６０】
実施の形態１によれば、制御部１２１は、通常時にリモコン１１９などによって設定された設定温度を第１温度センサ１１２の測定温度Ｔ１と比較して空調を実施する通常運転部１２９を有する。
【００６１】
この構成によれば、通常運転部１２９は、通常時にリモコン１１９などによって設定された設定温度を第１温度センサ１１２の測定温度Ｔ１と比較して空調を実施できる。これにより、空気調和装置１００は、通常時に効率良く快適な空調を実施できる。
【００６２】
実施の形態１によれば、制御部１２１は、第１温度センサ１１２の測定温度Ｔ１が設定温度に達した際に送風運転に切り替わるサーモオフ運転を検知するサーモオフ運転検知部１２５を有する。目詰まり判別部１２６は、サーモオフ運転検知部１２５がサーモオフ運転開始を検知した直後に差分△Ｔが閾値α以上であるとフィルタ１１４の目詰まりが発生したと判定する。
【００６３】
この構成によれば、サーモオフ運転開始の直後は、天井懐１１１に配置された室内機１０２の吸込み口１０２ａの内側に配置された第１温度センサ１１２の測定温度Ｔ１が空調対象の居室空間１１０の設定温度に達する。この場合には、通常であれば第１温度センサ１１２の測定温度Ｔ１と空調対象の居室空間１１０の温度とが一致するべきである。しかし、サーモオフ運転開始の直後に第１温度センサ１１２の測定温度Ｔ１と第２温度センサ１２０の測定温度Ｔ２との差分△Ｔが閾値α以上である場合には、実際に居室空間１１０に配置されたリモコン１１９に設けられた第２温度センサ１２０の測定温度Ｔ２が第１温度センサ１１２の測定温度Ｔ２から乖離している。すなわち、天井懐１１１に配置された室内機１０２の吸込み口１０２ａの内側に配置された第１温度センサ１１２の測定温度Ｔ１は、フィルタ１１４が目詰まりし、外気取込み口１１７からの外気取入れ量がより多くなった状態であると判断できる。そのため、目詰まり判別部１２６は、この場合にフィルタ１１４の目詰まりが発生したと判定できる。
【００６４】
実施の形態１によれば、制御部１２１は、目詰まり判別部１２６がフィルタ１１４の目詰まりが発生したと判定したときに、警報を発令させる警報発令部１２７を有する。
【００６５】
この構成によれば、警報発令部１２７が警報を発令させることにより、作業者がフィルタ１１４の目詰まりした状態を直ぐに確認できる。したがって、フィルタ１１４の目詰まりを機械的に容易に判別し、作業者が適切なタイミングでフィルタ１１４を掃除できる。
【００６６】
実施の形態１によれば、制御部１２１は、目詰まり判別部１２６がフィルタ１１４の目詰まりが発生したと判定したときに、リモコン１１９などによって設定された設定温度を第２温度センサ１２０の測定温度Ｔ２と比較して空調を実施する目詰まり運転部１２８を有する。
【００６７】
この構成によれば、目詰まり判別部１２６がフィルタ１１４の目詰まりが発生したと判定したときに第１温度センサ１１２の測定温度Ｔ１によって居室空間１１０の室温を検知している場合には、正確な室温が検知できなくなる。このため、空気調和装置１００は、過冷房又は過暖房の空調を実施するおそれが生じる。そこで、目詰まり判別部１２６がフィルタ１１４の目詰まりが発生したと判定した場合には、実際の空調対象の居室空間１１０に配置されたリモコン１１９に設けられた第２温度センサ１２０の測定温度Ｔ２によって空調を継続し、空調の効率的な制御が犠牲にされつつも、室温測定の乖離が防がれ、居室空間１１０の快適性が優先的に維持できる。
【符号の説明】
【００６８】
１００  空気調和装置、１０１  室外機、１０２  室内機、１０２ａ  吸込み口、１０３  ガス冷媒配管、１０４  液冷媒配管、１０５  圧縮機、１０６  四方弁、１０７  室外熱交換器、１０８  膨張弁、１０９  室内熱交換器、１１０  居室空間、１１１  天井懐、１１２  第１温度センサ、１１３  送風ファン、１１４  フィルタ、１１５  通気口、１１６  ダクト、１１７  外気取込み口、１１８  通信線、１１９  リモコン、１２０  第２温度センサ、１２１  制御部、１２２  表示部、１２３  操作部、１２４  温度差分演算部、１２５  サーモオフ運転検知部、１２６  目詰まり判別部、１２７  警報発令部、１２８  目詰まり運転部、１２９  通常運転部、１３０  吹出し口。
【図１】
2019138534.tif 000003
【図２】
2019138534.tif 000004
【図３】
2019138534.tif 000005
【図４】
2019138534.tif 000006
【手続補正書】
【提出日】令和2年2月10日(2020.2.10)
【手続補正１】
【補正対象書類名】明細書
【補正対象項目名】０００７
【補正方法】変更
【補正の内容】
【０００７】
本発明に係る空気調和装置は、室内機と、前記室内機の吸込み口の外側に配置され、前記室内機が調和空気を吹き出す居室空間からの還気から異物を取り除くフィルタと、前記吸込み口に外気を供給する外気取込み口と、前記吸込み口の内側に配置され、前記外気取込み口からの外気と、前記フィルタを介した前記居住空間からの還気と、に基づいて、調和前の吸込み空気の温度を測定する第１温度センサと、前記居室空間に配置された第２温度センサと、前記第１温度センサの測定温度と前記第２温度センサの測定温度との差分が閾値以上であると前記フィルタの目詰まりが発生したと判定する目詰まり判別部を有した制御部と、を備えるものである。
【手続補正２】
【補正対象書類名】特許請求の範囲
【補正対象項目名】全文
【補正方法】変更
【補正の内容】
【特許請求の範囲】
【請求項１】
室内機と、
前記室内機の吸込み口の外側に配置され、前記室内機が調和空気を吹き出す居室空間からの還気から異物を取り除くフィルタと、
前記吸込み口に外気を供給する外気取込み口と、
前記吸込み口の内側に配置され、前記外気取込み口からの外気と、前記フィルタを介した前記居住空間からの還気と、に基づいて、調和前の吸込み空気の温度を測定する第１温度センサと、
前記居室空間に配置された第２温度センサと、
前記第１温度センサの測定温度と前記第２温度センサの測定温度との差分が閾値以上であると前記フィルタの目詰まりが発生したと判定する目詰まり判別部を有した制御部と、
を備える空気調和装置。
【請求項２】
前記室内機は、前記居室空間と仕切られた天井懐に配置され、前記天井懐から前記居室空間に調和空気を吹き出し、
前記フィルタは、前記居室空間と前記天井懐との仕切り部分に空気を疎通自在に配置され、前記天井懐に前記居住空間からの還気を取り込み、
前記外気取込み口は、外部から通じるダクトを介して前記天井懐に設けられる請求項１に記載の空気調和装置。
【請求項３】
設定温度を調節するリモコンを備え、
前記第２温度センサは、前記リモコンに設けられる請求項１又は２に記載の空気調和装置。
【請求項４】
前記制御部は、通常時に設定された設定温度を前記第１温度センサの測定温度と比較して空調を実施する通常運転部を有する請求項１〜３のいずれか１項に記載の空気調和装置。
【請求項５】
前記制御部は、前記第１温度センサの測定温度が設定温度に達した際に送風運転に切り替わるサーモオフ運転を検知するサーモオフ運転検知部を有し、
前記目詰まり判別部は、前記サーモオフ運転検知部が前記サーモオフ運転開始を検知した直後に前記差分が前記閾値以上であると前記フィルタの目詰まりが発生したと判定する請求項４に記載の空気調和装置。
【請求項６】
前記制御部は、前記目詰まり判別部が前記フィルタの目詰まりが発生したと判定したときに、警報を発令させる警報発令部を有する請求項１〜５のいずれか１項に記載の空気調和装置。
【請求項７】
前記制御部は、前記目詰まり判別部が前記フィルタの目詰まりが発生したと判定したときに、設定された設定温度を前記第２温度センサの測定温度と比較して空調を実施する目詰まり運転部を有する請求項１〜６のいずれか１項に記載の空気調和装置。
【国際調査報告】
2019138534.tif 000007
2019138534.tif 000008
2019138534.tif 000009
2019138534.tif 000010